(57)【要約】【課題】  環境に与える悪影響が少なく、環境に配慮した洗浄剤を提供する。【解決手段】  カリウム塩の水溶液を電気分解することによって得られた電解液に、ウンデシレノキシポリエチレングリコールモノエーテル、ウンデセノールのうち１つ以上を主成分とする防腐防カビ剤が添加する。また、研磨剤及び増粘剤としても、環境に対して悪影響を与えないものを添加する。なお、研磨剤としては、モース硬度４以下のものを添加する。【選択図】  なし【特許請求の範囲】
【請求項１】
カリウム塩の水溶液を電気分解することによって得られた電解液に、防腐防カビ剤が添加されており、
上記防腐防カビ剤は、ウンデシレノキシポリエチレングリコールモノエーテル及び／又はウンデセノールを主成分としていること
を特徴とする洗浄剤。
【請求項２】
上記電解液には、モース硬度が４以下の研磨剤が添加されていること
を特徴とする請求項１記載の洗浄剤。
【請求項３】
上記電解液には、増粘剤が添加されていること
を特徴とする請求項１記載の洗浄剤。
【請求項４】
カリウム塩の水溶液を電気分解して電解液を生成する電解液生成工程と、
上記電解液生成工程で生成された電解液に、防腐防カビ剤を添加する防腐防カビ剤添加工程とを備え、
上記防腐防カビ剤添加工程で添加される防腐防カビ剤は、ウンデシレノキシポリエチレングリコールモノエーテル及び／又はウンデセノールを主成分としていること
を特徴とする洗浄剤の製造方法。
【請求項５】
上記電解液生成工程で生成された電解液に、モース硬度が４以下の研磨剤を添加する研磨剤添加工程を備えること
を特徴とする請求項４記載の洗浄剤の製造方法。
【請求項６】
上記電解液生成工程で生成された電解液に、増粘剤を添加する増粘剤添加工程を備えること
を特徴とする請求項４記載の洗浄剤の製造方法。
【発明の詳細な説明】
【技術分野】
【０００１】
本発明は、食器、住居、車などを洗浄する洗浄剤及びその製造方法に関し、特に、天然に存在する材料を混合して得られた洗浄剤及びその製造方法に関する。
【背景技術】
【０００２】
食器、住居、車などを洗浄するために市販されている洗浄剤の大部分には、合成界面活性剤が使用されている。しかし、合成界面活性剤は高分子であり分解されにくいために、排水が河川に流されたときに河川に残存してしまうなどの理由により、環境に影響することが知られている。
【０００３】
そこで、分解されない高分子を使用することなく洗浄効果を発揮することが可能であり、環境に与える影響が少ない洗浄剤として、炭酸水素ナトリウムの水溶液を電気分解することによって得られた電解液（以下、重曹洗浄剤という。）が提案されている（例えば、特許文献１参照。）。
【０００４】
【特許文献１】特許第３３１７５０５号公報
【発明の開示】
【発明が解決しようとする課題】
【０００５】
しかしながら、重曹洗浄剤は、用途によって、洗浄効果が不充分となるなどの不都合が生じてしまう。
【０００６】
例えばガラス拭きのように洗浄の対象となる物に洗浄剤を供給して布などで拭くなど、水で洗浄剤を流さない洗浄を行う場合には、重曹洗浄剤を使用して洗浄すると、ガラスの表面など、洗浄した物の表面に炭酸水素ナトリウムの粉末が白く残存してしまう。したがって、洗浄剤の使用後に洗浄剤を水で流さない場合には、重曹洗浄剤を使用して洗浄すると、洗浄した物の外観が却って悪くなるなどの不都合が生じてしまう。
【０００７】
また、洗浄剤には、カビの発生などによる洗浄剤の劣化を防ぐために、防腐防カビ剤を添加する必要が生じる。しかしながら、防腐防カビ剤として環境に悪影響を与えるものを添加した場合には、洗浄剤は、汚れを落とす成分が環境に無害であったとしても、添加される防腐防カビ剤が原因となって、防腐防カビ剤が原因となって、環境に悪影響を与えてしまう。
【０００８】
本発明は、以上説明したような従来の実情を鑑みて提案されたものであり、環境などに与える悪影響が少なく、且つ、洗浄後に洗浄された物の表面に粉末が白く残存するなどの不都合が生じない洗浄剤及びその製造方法を提供することを目的とする。
【課題を解決するための手段】
【０００９】
本発明に係る洗浄剤は、カリウム塩の水溶液を電気分解することによって得られた電解液に、防腐防カビ剤が添加されており、上記防腐防カビ剤は、ウンデシレノキシポリエチレングリコールモノエーテル及び／又はウンデセノールを主成分としていることを特徴とする。
【００１０】
カリウム塩の水溶液を電気分解することによって得られた電解液、ウンデシレノキシポリエチレングリコールモノエーテルやウンデセノールは、環境に与える悪影響が少ない。したがって、本発明に係る洗浄剤は、環境に与える悪影響が少ないものとなる。また、本発明に係る洗浄剤は、炭酸水素ナトリウムや界面活性剤を用いることなく洗浄効果を発揮することができる。
【００１１】
また、本発明に係る洗浄剤の製造方法は、カリウム塩の水溶液を電気分解して電解液を生成する電解液生成工程と、上記電解液生成工程で生成された電解液に、防腐防カビ剤を添加する防腐防カビ剤添加工程とを備え、上記防腐防カビ剤添加工程で添加される防腐防カビ剤は、ウンデシレノキシポリエチレングリコールモノエーテル及び／又はウンデセノールを主成分としていることを特徴とする。
【発明の効果】
【００１２】
本発明に係る洗浄剤は、カリウム塩の水溶液を電気分解することによって得られた電解液に、ウンデシレノキシポリエチレングリコールモノエーテル及び／又はウンデセノールを主成分とする防腐防カビ剤が添加されている。カリウム塩の水溶液を電気分解することによって得られた電解液、ウンデシレノキシポリエチレングリコールモノエーテル、ウンデセノールは、いずれも環境に対して与える影響が少ない。また、本発明に係る洗浄剤は、合成界面活性剤を使用していない。したがって、本発明に係る洗浄剤は、環境に対して与える影響が少なく、且つ環境に配慮したものとなる。
【００１３】
また、本発明に係る洗浄剤は、イオン化傾向が最も高いカリウムを水に溶解させたカリウム水溶液を電気分解することによって得られた電解液を用いているために、浴室などに付着している所謂せっけんカスを、効果的に落とすことが可能となる。
【００１４】
また、本発明に係る洗浄剤は、カリウム塩の水溶液を電気分解することによって得られた電解液を使用しており、炭酸水素ナトリウムが含まれていない。したがって、本発明に係る洗浄剤は、使用後に洗浄剤を洗い流さない洗浄を行った場合にも、洗浄した物の表面に炭酸水素ナトリウムの粉が白く残存することなく、洗浄された物の外観が損なわれることを回避できる。
【００１５】
本発明に係る洗浄剤の製造方法は、カリウム塩の水溶液を電気分解して電解液を生成し、生成した電解液に、ウンデシレノキシポリエチレングリコールモノエーテル及び／又はウンデセノールを主成分とする防腐防カビ剤を添加している。したがって、本発明に係る洗浄剤の製造方法によれば、合成界面活性剤を使用せずに、環境に対して与える影響が少ない材料によって洗浄剤を作成することが可能となる。すなわち、本発明に係る洗浄剤の製造方法によれば、環境に対して与える影響が少なく、環境に配慮した洗浄剤を提供することが可能となる。
【００１６】
また、本発明に係る洗浄剤の製造方法では、イオン化傾向が最も高いカリウムを水に溶解させたカリウム水溶液を電気分解することによって得られた電解液を用いている、したがって、浴室などに付着している所謂せっけんカスを、効果的に落とすことができる洗浄剤を提供することが可能となる。
【００１７】
また、本発明に係る洗浄剤の製造方法は、カリウム塩の水溶液を電気分解することによって得られた電解液を使用しており、炭酸水素ナトリウムが含まれていない洗浄剤を製造する。したがって、本発明に係る洗浄剤の製造方法によれば、使用後に洗浄剤を洗い流さない洗浄を行った場合にも、洗浄された物の表面に炭酸水素ナトリウムの粉が白く残存することなく、洗浄された物の外観が損なわれることを回避できる洗浄剤を提供することが可能となる。
【発明を実施するための最良の形態】
【００１８】
以下、本発明を実施するための最良の形態について、図面を参照しながら詳細に説明する。
【００１９】
本発明を適用した洗浄液は、カリウム塩の水溶液（以下、カリウム水溶液という。）を電気分解することによって得られた電解液に、防腐防カビ剤が添加されてなる。
【００２０】
カリウム水溶液は、食器、住居、車などの汚れを落とす洗浄効果を有する。カリウム水溶液中に溶解されているカリウム塩は、いかなる種類のカリウム塩であっても良く、例えば、ＫＣｌ、Ｋ２ＣＯ３、ＫＨＣＯ３などである。本実施の形態では、ＫＣｌを用いている。
【００２１】
カリウムは、最もイオン化傾向が大きいために、カリウム水溶液を電気分解することによって得られた電解液は、浴室などに付着している所謂せっけんカスを、効果的に落とすことが可能となる。
【００２２】
詳述すると、せっけんカスは、せっけんの主成分である脂肪酸のナトリウム塩（Ｒ−ＣＯＯ−Ｎａ＋；但し、Ｒは炭化水素を示す）が、水道水やヒトの垢に含まれているＣａ２＋やＭｇ２＋と反応してできた脂肪酸のカルシウム塩（Ｒ−ＣＯＯ−Ｃａ２＋）や脂肪酸のマグネシウム塩（Ｒ−ＣＯＯ−Ｍｇ２＋）などの金属せっけんである。金属せっけんでは、脂肪酸イオン（Ｒ−ＣＯＯ−）とＣａ２＋やＭｇ２＋などがイオン結合により静電気的に付着している。したがって、Ｃａ２＋やＭｇ２＋などが存在するところにイオン化傾向が最も大きいＫが加えられると、Ｃａ２＋やＭｇ２＋などが追い出されてＫ＋がＲ−ＣＯＯ−にひきつけられる。ここでイオン交換がおこり、Ｃａ２＋やＭｇ２＋などは排除される。
【００２３】
一方、Ｎａは、Ｃａと比較してイオン化傾向が小さいために、Ｃａ２＋やＭｇ２＋などが存在するところにＮａを加えてＣａ２＋を追い出すためには、Ｎａを大量に加える必要が生じる。したがって、本発明を適用した洗浄剤は、カリウム水溶液を電気分解することによって得られた電解液を用いているために、浴室などに付着している所謂せっけんカスを、効果的に落とすことが可能となる。
【００２４】
また、カリウム水溶液を電気分解して得られた電解液は、水が電気分解されたものであるため、環境に与える悪影響が少なく、汚れを落とすことが可能なものとなる。
【００２５】
また、カリウム水溶液を電気分解することによって得られた電解液は、炭酸水素ナトリウムが含有されていない。したがって、本発明を適用した洗浄液は、例えばガラス拭きのように洗浄の対象となる物に洗浄剤を供給して布などで拭くなど、洗浄剤を水で流さない洗浄に使用した場合にも、ガラスの表面など、洗浄した物の表面に粉末が白く残存することを回避することができ、洗浄の対象となった物の外観が洗浄後に損なわれることを防ぐことが可能となる。
【００２６】
カリウム水溶液中に添加されるカリウム塩の濃度は、０．１重量％以上であることが好ましい。
【００２７】
防腐防カビ剤は、洗浄剤にカビが発生することや、時間の経過に伴う洗浄剤の劣化などを抑制する。
【００２８】
防腐防カビ剤は、ウンデシレノキシポリエチレングリコールモノエーテル、ウンデセノールのうち１つ以上を主成分とする。ウンデシレノキシポリエチレングリコールモノエーテル及びウンデセノールは、天然に存在し、環境に対して与える悪影響が少ない。したがって、本発明を適用した洗浄剤は、環境に対して与える悪影響が少なく、環境に配慮したものとなる。
【００２９】
また、防腐防カビ剤は、カビの発生や洗浄剤の劣化を抑制する他に、洗浄効果を有する。本発明を適用した洗浄剤では、防腐防カビ剤を添加することにより、洗浄効果が向上する。
【００３０】
防腐防カビ剤の添加量は、０．１重量％以上５０重量％以下とされることが好ましい。防腐防カビ剤の添加量が０．１重量％未満である場合には、防腐防カビ剤の効果が十分に発揮されない。また、防腐防カビ剤が５０重量％より多く添加場合には、防腐防カビ剤の添加量の増加による洗浄効果の向上が見られなくなる。
【００３１】
なお、防腐防カビ剤は、環境に与える悪影響が少ないものであればどのようなものでも良く、例えば、ヒノキチオールでも良い。
【００３２】
また、本発明を適用した洗浄剤には、モース硬度が４以下の研磨剤を添加しても良い。研磨剤は、モース硬度が４以下であれば、有機系材料であっても無機系材料であっても良い。また、研磨剤は、環境に与える悪影響が少ないものであることが好ましい。環境に与える悪影響が少ない研磨剤を添加することにより、本発明に係る洗浄剤は、環境に配慮したものとなる。
【００３３】
研磨剤としては、例えば、炭酸カルシウム、モンモリロン石群鉱物、水酸化ナトリウム、ガラス転移温度が６０℃〜２００℃で微粉体とされている樹脂、ガラス転移温度が６０℃〜２００℃で水に溶解されている樹脂などが挙げられる。研磨剤を添加することにより、物に付着した汚れを効率良く落とすことが可能となるが、モース硬度を４以下とすることにより、本発明を適用した洗浄剤は、モース硬度が４を超える物を傷つけることなく洗浄できる。
【００３４】
また、本発明を適用した洗浄剤には、増粘剤を添加しても良い。増粘剤は、有機系材料であっても無機系材料であっても良い。また、増粘剤は、環境に与える悪影響が少ないものであることが好ましい。環境に与える悪影響が少ない増粘剤を添加することにより、本発明に係る洗浄剤は、環境に配慮したものとなる。
【００３５】
以上説明した増粘剤としては、例えば、スメクタイト、ベントナイト、メチルセルロース、ポリアクリル酸、ヒドロキシエチルセルロース、カルボキシメチルセルロースなどが挙げられる。増粘剤を添加することにより洗浄剤の粘度が上がるので、例えば、壁や窓ガラスといった地面に対して垂直な面を洗浄する場合などに、洗浄剤が流れ落ちる時間を制御することが可能となる。
【００３６】
以上説明したように、本発明を適用した洗浄剤は、カリウム塩の水溶液を電気分解することによって得られた電解液に、ウンデシレノキシポリエチレングリコールモノエーテル及びウンデセノールのうち少なくとも１つを主成分とする防腐防カビ剤が添加されている。また、添加する増粘剤及び研磨剤についても、環境に与える悪影響が少ない材料を使用している。したがって、本発明を適用した洗浄剤は、合成界面活性剤を使用せず、環境に与える悪影響が少ない材料によって作成されているために、環境に配慮したものとなる。
【００３７】
また、本発明を適用した洗浄剤は、イオン化傾向が最も大きいカリウムが溶解しているカリウム水溶液を電気分解することによって得られた電解液を用いているために、浴室などに付着している所謂せっけんカスを、効果的に落とすことが可能となる。
【００３８】
また、本発明を適用した洗浄剤は、カリウム塩の水溶液を電気分解することによって得られた電解液を使用しており、炭酸水素ナトリウムが含まれていない。したがって、本発明を適用した洗浄剤は、洗浄の対象となる物に洗浄剤を供給して布で拭くなど、洗浄剤を水で流さない洗浄に使用した際にも、洗浄した物の表面に炭酸水素ナトリウムの粉が白く残存することなく、外観が良好なものとなる。
【００３９】
また、本発明を適用した洗浄剤に添加される研磨剤は、モース硬度が４以下とされている。したがって、本発明を適用した洗浄剤は、モース硬度が４を超える物を傷つけることなく、洗浄することが可能となる。
【実施例】
【００４０】
つぎに、本発明を適用した洗浄剤が環境に与える悪影響が少ないものであることについて、実施例及び比較例に基づいて説明する。
【００４１】
最初に、本実施例では、防腐防カビ剤の添加量について検討した。
【００４２】
参考例１
先ず、精製水に０．１重量％のウンデシレノキシポリエチレングリコールモノエーテルを添加した０．１％防腐防カビ液を作成した。
【００４３】
次に、作成した０．１％防腐防カビ液を密度が６０ｇ／ｍ２であるリヨセルに含浸させて１日放置し、Ｓ−６（ペニシリウム  フニクロスム）、Ｓ−１１（ケトミウム  グロボスム）、Ｓ−１３（ミロデシウム  ベルカリア）を植菌して、カビの発生を観察した。
【００４４】
参考例２
精製水に０．０３重量％のウンデシレノキシポリエチレングリコールモノエーテルを添加した０．０３％防腐防カビ液を作成し、参考例１の０．１％防腐防カビ液の代わりに用いた以外は、参考例１と同様に、カビの発生を観察した。
【００４５】
参考例３
精製水に０．０１重量％のウンデシレノキシポリエチレングリコールモノエーテルを添加した０．０１％防腐防カビ液を作成し、参考例１の０．１％防腐防カビ液の代わりに用いた以外は、参考例１と同様に、カビの発生を観察した。
【００４６】
参考例４
参考例１の０．１％防腐防カビ液の代わりに精製水を用いた以外は、参考例１と同様に、カビの発生を観察した。
【００４７】
以上説明した参考例１〜参考例４の結果は、以下の表１に示す通りとなる。
【００４８】
【表１】
2006002080.tif 000002
【００４９】
表１に示すように、ウンデシレノキシポリエチレングリコールモノエーテルの添加量が０．１重量％未満である参考例２〜参考例４では、防腐防カビ効果が十分に得ることが不可能であり、ウンデシレノキシポリエチレングリコールモノエーテルの添加量が０．１重量％である参考例１では、防腐防カビ効果を十分に得られることが確認された。したがって、防腐防カビ効果を十分に発揮するために必要となる防腐防カビ剤の添加量は、０．１重量％以上であることが確認された。
【００５０】
つぎに、本発明を適用した洗浄剤が環境に与える影響について検討した。
【００５１】
実施例１
５重量％の塩化カリウムが添加された塩化カリウム水溶液を電気分解して得られた電解液と、ウンデシレノキシポリエチレングリコールモノエーテルと、１０−ウンデセノールと、炭酸カルシウムと、スメクタイトとを、下記表２に示す配合率で混合して、本発明を適用した洗浄剤（以下、カリウム洗浄剤という。）を作成した。
【００５２】
【表２】
2006002080.tif 000003
【００５３】
次に、カリウム洗浄剤の原液中にメダカを入れ、１２時間後、４８時間後、９６時間後のメダカの生存率を確認した。また、カリウム洗浄剤の５倍希釈液中にメダカを入れ、１２時間後、２４時間後、４８時間後のメダカの生存率を確認した。さらに、カリウム洗浄剤の２５倍希釈液中にメダカを入れ、２４時間後、４８時間後のメダカの生存率を確認した。
【００５４】
比較例１
カリウム洗浄液の代わりに、直鎖アルキルベンゼンスルホン酸ナトリウムとポリエチレングリコールアルキルエーテルとが２５％含有されている洗剤の標準液を使用した以外は、実施例１と同様に、メダカの生存率を確認した。
【００５５】
比較例２
カリウム洗浄液の代わりに、ポリエチレングリコールアルキルエーテルと直鎖アルキルベンゼンスルホン酸ナトリウムとが３８％含有されている洗剤の標準液を使用した以外は、実施例１と同様に、メダカの生存率を確認した。
【００５６】
比較例３
カリウム洗浄液の代わりに、アルファスルホ脂肪酸エステルナトリウムと純せっけん分（脂肪酸ナトリウム）直鎖アルキルベンゼン系とポリエチレングリコールアルキルエーテルとが３１％含有されている洗剤の標準液を使用した以外は、実施例１と同様に、メダカの生存率を確認した。
【００５７】
比較例４
カリウム洗浄液の代わりに、直鎖アルキルベンゼンスルホン酸ナトリウムが２７％含有されている洗剤の標準液を使用した以外は、実施例１と同様に、メダカの生存率を確認した。
【００５８】
比較例５
カリウム洗浄液の代わりに、脂肪酸ナトリウムが７０％含有されている洗剤の標準液を使用した以外は、実施例１と同様に、メダカの生存率を確認した。
【００５９】
なお、比較例１〜比較例５の標準液は、通常洗濯で使用するときの濃度に調整されている溶液である。
【００６０】
以上説明した実施例１、比較例１〜比較例５の結果について、以下の表３に示す。
【００６１】
【表３】
2006002080.tif 000004
【００６２】
表３に示すように、実施例１のカリウム洗浄液は、原液中にメダカを入れて９６時間後の生存率を確認した場合にも、生存率が１００％であった。
【００６３】
一方、比較例１では、２５倍希釈液中にメダカを入れた場合に４８時間後の生存率が１００％であったものの、５倍希釈液及び標準液中にメダカを入れた場合には、１時間３０分後に全てのメダカが死滅した。
【００６４】
また、比較例２では、５倍希釈液にメダカを入れた場合に、１時間２０分後に全てのメダカが死滅し、標準液にメダカを入れた場合に、１時間３０分後に全てのメダカが死滅した。
【００６５】
また、比較例３では、２５倍希釈液にメダカを入れた場合に、２４時間後の生存率が５０％であったものの、４８時間後の生存率は０％であった。さらに、５倍希釈液にメダカを入れた場合には１時間３０分後に全てのメダカが死滅し、標準液にメダカを入れた場合には２時間後に全てのメダカが死滅した。
【００６６】
また、比較例４では、２５倍希釈液にメダカを入れた場合、２４時間後の生存率が８５％であり、４８時間後の生存率が５０％であった。しかし、５倍希釈液にメダカを入れた場合には１時間３０分後に全てのメダカが死滅し、標準液にメダカを入れた場合には２時間後に全てのメダカが死滅した。
【００６７】
また、比較例５では、２５倍希釈液にメダカを入れた場合、２４時間後及び４８時間後の生存率が１００％であった。しかし、５倍希釈液にメダカを入れた場合、１２時間後及び２４時間後の生存率が１００％であったものの、４８時間後のメダカの生存率は７０％であった。また、標準液にメダカを入れた場合には２時間後に全てのメダカが死滅した。
【００６８】
以上説明した実施例及び比較例に示されるように、本発明を適用したカリウム洗浄剤は、合成界面活性剤を使用した洗浄剤と比較して、環境に与える影響が少ないものとなる。